(57)【要約】【課題】  ＷＷＷアクセス機能を持つ携帯電話など限られた表示機能しかない情報取得装置により、必要な情報の印刷出力を得ることを可能とする情報取得装置を提供する。【解決手段】  ＷＷＷサーバにアクセスして取得したデータを印刷する機能を有する情報取得装置において、ＷＷＷサーバから取得した情報の一部を表示する表示手段と、取得した情報の印刷を指示する指示手段と、取得した情報の印刷を行う印刷手段とを有することを特徴とする情報取得装置。【選択図】        図１
2005182157.tif 000002
【特許請求の範囲】
【請求項１】
ネットワークを介してＷＷＷサーバにアクセスして取得したデータを印刷する機能を有する情報取得装置において、ＷＷＷサーバから取得した情報の一部を表示する表示手段と、前記取得した情報の印刷を指示する指示手段と、前記取得した情報の印刷を行う印刷手段とを有することを特徴とする情報取得装置。
【請求項２】
公衆回線を介してＷＷＷサーバにアクセスし情報を取得する情報取得手段と、前記ＷＷＷサーバから取得した情報の一部を表示する表示手段と、前記取得した情報を印刷可能なデータに変換する変換手段と、前記印刷可能な変換データをプリンタに転送する転送手段とを有することを特徴とする情報取得装置。
【発明の詳細な説明】
【技術分野】
【０００１】
本発明は、ＷＷＷ（Ｗｏｒｌｄ  Ｗｉｄｅ  Ｗｅｂ）と呼ばれる広域情報システムで提供される情報を、印刷装置を備える情報取得装置により取得する方法に関するものである。
【背景技術】
【０００２】
近年、種々の情報を提供するＷＷＷサーバと、このＷＷＷサーバへＨＴＴＰ（Ｈｙｐｅｒ  Ｔｅｘｔ  Ｔｒａｎｓｆｅｒ  Ｐｒｏｔｏｃｏｌ）でアクセスするための専用ソフトウェア（ＷＷＷブラウザ）を搭載したコンピュータとをネットワークで接続し、ＷＷＷサーバ上のデータをコンピュータから参照することが可能となっている。また、上記ＷＷＷブラウザは、ＷＷＷサーバ上のデータをコンピュータ内に格納することができるため、ユーザは、印刷装置により印刷することも可能である。さらに、上記印刷装置自体がＷＷＷサーバへのアクセス機能を持つことで、ユーザから指示されたＵＲＬ（Ｕｓｅｒ  Ｒｅｓｏｕｒｃｅ  Ｌｏｃａｔｅｒ）アドレスに従いＷＷＷサーバに対して印刷装置が直接アクセスし、データを取得して印刷を行うこともできる（例えば、特許文献１参照）。
【０００３】
一方、このようなＷＷＷサーバにアクセスする機能が携帯電話や携帯情報端末にも搭載されるようになっている。
【特許文献１】特開平１１−１３４１２５号公報
【発明の開示】
【発明が解決しようとする課題】
【０００４】
しかしながら、印刷装置自体がＷＷＷサーバのデータを取得し印刷する装置においては、ＷＷＷサーバ上のデータが階層構造を持っていた場合、本来取得したい情報を得るために不要な印刷出力を強いられるという欠点があった。また、携帯電話や携帯情報端末では情報を表示するための表示部の大きさに制限があるため、文字情報やごく粗い画像情報しか取得することができないという欠点があった。
【０００５】
本発明は、このような問題点に鑑みて為されたものであり、その目的とする処は、ＷＷＷサーバの情報を印字する必要の有無をユーザが判断可能となり、すべての情報を印刷することなく必要な情報のみ印刷することを可能とし、また、ＷＷＷアクセス機能を持つ携帯電話など限られた表示機能しかない情報取得装置により、必要な情報の印刷出力を得ることを可能とする情報取得装置を提供することにある。
【課題を解決するための手段】
【０００６】
本発明は、下記の技術的構成により前記目的を達成できたものである。
【０００７】
（１）ネットワークを介してＷＷＷサーバにアクセスして取得したデータを印刷する機能を有する情報取得装置において、ＷＷＷサーバから取得した情報の一部を表示する表示手段と、前記取得した情報の印刷を指示する指示手段と、前記取得した情報の印刷を行う印刷手段とを有することを特徴とする情報取得装置。
【０００８】
（２）公衆回線を介してＷＷＷサーバにアクセスし情報を取得する情報取得手段と、前記ＷＷＷサーバから取得した情報の一部を表示する表示手段と、前記取得した情報を印刷可能なデータに変換する変換手段と、前記印刷可能な変換データをプリンタに転送する転送手段とを有することを特徴とする情報取得装置。
【発明の効果】
【０００９】
本発明によれば、パーソナルコンピュータ等を用いずにＷＷＷサーバの情報を取得することが可能となる。また、簡易表示部にＷＷＷサーバの要約情報を表示することにより、当該情報を印字する必要の有無をユーザが判断可能となり、すべての情報を印刷することなく必要な情報のみ印刷することが可能となる。
【発明を実施するための最良の形態】
【００１０】
以下本発明の実施例について、図面を参照しながら説明する。
【実施例１】
【００１１】
図１は本発明の一実施形態である情報取得システムの構成図である。１０は情報取得装置、１１はインターネット、イントラネット、ＬＡＮ、公衆回線（無線、有線）等のネットワーク、１２はＷＷＷサーバである。情報取得装置１０はネットワーク１１に接続するためのネットワークインターフェース部１０１と、ＷＷＷサーバから取得したデータを一時保存するためのメモリ１０２と、文字情報および簡易な画像を表示するための簡易表示装置１０３と、ＷＷＷサーバから取得した情報を印刷するためのプリンタ１０４と、ＷＷＷサーバへのアクセス等の指示を行うキーパッド１０５と、情報取得装置の動作を制御するＣＰＵ１０６から構成される。
【００１２】
以下、図１の情報取得システムにおいて、情報取得装置１０によりＷＷＷサーバ１２上の情報を取得する場合の動作について、図２のフローチャートに従って説明する。
【００１３】
まず、ユーザはキーパッド１０５によりアクセスしたいサーバのＵＲＬを入力する（ステップＳ２０１）。図３はキーパットの一例を示す図であり、キー群３０３とモード切替キー３０４により英数字かな等を入力することができるものとする。また、入力の誤りは削除キー３０５により最後に入力した一文字を削除することにより訂正できるものとする。ＵＲＬアドレスは例えば、「ｈｔｔｐ：／／ｗｗｗ．ｃａｎｏｎ．ｃｏｍ」のようなものである。ＵＲＬの入力が終了した後、ユーザは接続キー３０２を押しＷＷＷサーバへの接続を指示する。
【００１４】
次に、情報取得装置はユーザにより指定されたＵＲＬアドレスに相当するＷＷＷサーバに対し接続処理を行う。接続が確定すると情報取得装置は当該ＵＲＬアドレスのＨＴＴＰデータを取得しメモリ１０２に格納する（ステップＳ２０２）。
【００１５】
次に、取得されたＨＴＴＰデータから要約を作成する（ステップＳ２０３）。要約には、少なくともページのタイトルおよびリンクを示すテキストを含める。作成された要約は簡易表示装置１０３に表示される（ステップＳ２０４）。図４に要約表示の一例を示す。リンクには下線を表示し、現在選択中のリンクは編みかけ表示する。
【００１６】
次に、ユーザはキーパッドにより項目の選択を行う（ステップＳ２０５）。リンク先の情報を取得したい場合は、上下キー３０７および３０８によりリンクを選択し、リンクキー３０９を押す。リンクキー３０９が押された場合は、ステップＳ２０２に戻りリンク先の情報を取得する。
【００１７】
印刷キー３０６が押された場合は、現在取得されているページの画像情報等印刷に必要なすべての情報を当該ＷＷＷサーバより取得し（ステップＳ２０６）、当該ページの情報を印刷可能な形式に変更した後プリンタにより印刷する（Ｓ２０７）。
【００１８】
切断キー３０１を押された場合は、ネットワークとの接続を切り、処理を終了する。
【００１９】
以上のような構成により、パーソナルコンピュータ等を用いることなく、ＷＷＷサーバより無駄な印字をせずに必要な情報のみの印字出力を得ることが可能となる。
【実施例２】
【００２０】
図５は本発明の他の実施形態である情報取得システムの構成図である。５０は携帯情報端末、５１はプリンタ、５２は印字情報伝達経路である。
【００２１】
ここで携帯情報端末は、公衆回線と無線ないし有線で接続し、ＷＷＷサーバへアクセスする機能を有する携帯電話あるいはＰＤＡ（Ｐｅｒｓｏｎａｌ  Ｄｉｇｉｔａｌ  Ａｓｓｉｓｔａｎｔ）等である。さらに、携帯情報端末はＷＷＷサーバから取得した文字情報を表示する表示部５０１と、ＷＷＷサーバから取得した文字および画像情報をプリンタにより印字可能なデータ形式に変換する変換部５０２と、印字データをプリンタに転送するインターフェース部５０３を有するものとする。
【００２２】
以下、図５の情報取得システムにおいて、ＷＷＷサーバ上の情報を取得する場合の動作について、図６のフローチャートに従って説明する。
【００２３】
まず、ユーザは携帯情報端末５０によりＵＲＬアドレスの指示等を行いＷＷＷサーバに接続する（ステップＳ６０１）。
【００２４】
次に、携帯情報端末５０はユーザにより指定されたＷＷＷサーバより、当該ＵＲＬアドレスのＨＴＴＰデータを取得しメモリに格納する（ステップＳ６０２）。
【００２５】
次に、取得されたＨＴＴＰデータから要約を作成する（ステップＳ６０３）。要約には、少なくともページのタイトルおよびリンクを示すテキストを含める。作成された要約は表示部に表示される（ステップＳ６０４）。
【００２６】
次に、ユーザは携帯情報端末の図示しない操作部により項目の選択を行う（ステップＳ６０５）。選択肢としては少なくとも、リンクの選択、印刷、終了を有するものとする。
【００２７】
リンクを指示された場合は、ステップＳ６０２に戻りリンク先の情報を取得する。
【００２８】
印刷を指示された場合は、現在取得されているページの画像情報等印字に必要なすべての情報を当該ＷＷＷサーバより取得し（ステップＳ６０６）、当該ページの情報を印刷可能な形式に変更し（ステップＳ６０７）、プリンタに印刷データを転送する（Ｓ６０８）。
【００２９】
印刷データの転送手段としては、赤外線通信、無線通信、メモリーカード、磁気記録媒体等が使用可能である。
【００３０】
終了を指示された場合は、ネットワークとの接続を切り、処理を終了する。
【００３１】
以上のような構成により、簡易な表示部しか持たない携帯情報端末を用いて、ＷＷＷサーバより表示部で表示不可能な情報についても印字出力を得ることが可能となる。
【図面の簡単な説明】
【００３２】
【図１】本発明の一実施例である情報取得システムの構成図
【図２】情報取得装置の動作を説明するフローチャート
【図３】キーパッドの構成例
【図４】簡易表示装置の構成例
【図５】本発明の一実施例である情報取得装置の構成図
【図６】情報取得装置の動作を説明するフローチャート
【符号の説明】
【００３３】
１０  情報取得装置
１１  ネットワーク
１２  ＷＷＷサーバ
【図１】
2005182157.tif 000003
【図２】
2005182157.tif 000004
【図３】
2005182157.tif 000005
【図５】
2005182157.tif 000006
【図６】
2005182157.tif 000007
【図４】
2005182157.tif 000008